【手続補正書】
【提出日】平成27年5月1日(2015.5.1)
【手続補正１】
【補正対象書類名】特許請求の範囲
【補正対象項目名】全文
【補正方法】変更
【補正の内容】
【特許請求の範囲】
【請求項１】
光センサアセンブリであって、
基板（１０２、２０２、３０２、４０２）、
基板（１０２、２０２、３０２、４０２）に接続され、第一の反射スペクトルに対応する入射光の第一の部分を反射するように構成された第一のフォトニック結晶センサ（１０６）であって、第一の反射スペクトルの第一の波長範囲は第一の検知パラメータの変化に応じて変化する、第一のフォトニック結晶センサ（１０６）、及び
基板（１０２、２０２、３０２、４０２）に接続され、第二の反射スペクトルに対応する入射光の第二の部分を反射するように構成された第二のフォトニック結晶センサ（１０７）であって、第二の反射スペクトルの第二の波長範囲は第二の検知パラメータの変化に応じて変化する、第二のフォトニック結晶センサ（１０７）を備え、 
第一の反射スペクトル及び第二の反射スペクトルは異なる、光センサアセンブリ。
【請求項２】
第一のフォトニック結晶センサ（１０６）は、第一の屈折率を有する第一の材料及び第二の屈折率を有する第二の材料から形成された第一の構造を有し、かつ
第二のフォトニック結晶センサ（１０７）は、第一の材料及び第二の材料から形成された第二の構造を有し、第一の構造は第二の構造と異なる、請求項１に記載の光センサアセンブリ。
【請求項３】
第一のフォトニック結晶センサ（１０６）は、二以上の異なる屈折率を有する二以上の材料で形成された第一の構造を有し、かつ
第二のフォトニック結晶センサ（１０７）は、第一の構造の二以上の材料とは異なる少なくとも一つの材料で形成された第二の構造を有する、請求項１または２に記載の光センサアセンブリ。
【請求項４】
第一の検知パラメータは、温度、圧力、加速度、及び振動のうちの一つを含む、請求項１から３のいずれか一項に記載の光センサアセンブリ。
【請求項５】
第一の検知パラメータは、第二の検知パラメータとは異なる、請求項１から４のいずれか一項に記載の光センサアセンブリ。
【請求項６】
第一のフォトニック結晶センサ（１０６）は基板（１０２、２０２、３０２、４０２）の第一の領域（１０４）に接続され、かつ第二のフォトニック結晶センサ（１０７）は基板（１０２、２０２、３０２、４０２）の第二の領域（１０５）に接続され、第一の領域（１０４）は第二の領域（１０５）とは異なる、請求項１から５のいずれか一項に記載の光センサアセンブリ。
【請求項７】
基板（１０２、２０２、３０２、４０２）が光ファイバ（１１０、２１０、３１０、４１０、５０６）の端部に接続されるときに、入射光は、光ファイバ（１１０、２１０、３１０、４１０、５０６）を介して第一のフォトニック結晶センサ（１０６）及び第二のフォトニック結晶センサ（１０７）に略同時に適合される、請求項１から６のいずれか一項に記載の光センサアセンブリ。
【請求項８】
光を光ファイバの第一端部に適合すること、
光ファイバの第二の端部に接続された第一のフォトニック結晶センサ（１０６）及び光ファイバの第二の端部に接続された第二のフォトニック結晶センサ（１０７）のうちの少なくとも一つにより反射された光を検出することであって、第一のフォトニック結晶センサ（１０６）は第一の検知パラメータに応じて変化する第一の反射スペクトルを表示し、第二のフォトニック結晶センサ（１０７）は第二の検知パラメータに応じて変化する第二の反射スペクトルを表示する、検出すること、及び
検出された光に基づき第一の検知パラメータ及び第二の検知パラメータのうちの少なくとも一つのパラメータ値を決定することを含む方法。
【請求項９】
光ファイバ（１１０、２１０、３１０、４１０、５０６）に適合された光は、第一の反射スペクトルに対応する第一の波長範囲及び第二の反射スペクトルに対応する第二の波長範囲を含む波長範囲を有する、請求項８に記載の方法。
【請求項１０】
第一の検知パラメータ及び第二の検知パラメータは同一のパラメータであり、パラメータ値は第一のフォトニック結晶センサ（１０６）により反射された光に基づきかつ第二のフォトニック結晶センサ（１０７）により反射された光に基づき決定される、請求項８又は９に記載の方法。
【請求項１１】
第一のフォトニック結晶センサ（１０６）の第一の反射スペクトルは、第二の検知パラメータの変化に応じて著しくは変化しない、請求項８、９又は１０に記載の方法。
【請求項１２】
第一のフォトニック結晶センサ（１０６）の第一の反射スペクトルは、第二の検知パラメータの変化に応じて変化し、かつパラメータ値を決定することは、第一の検知パラメータに対応する値を決定するために、第一のフォトニック結晶センサ（１０６）により反射された光及び第二のフォトニック結晶センサ（１０７）により反射された光を使用することを含む、請求項８から１１のいずれか一項に記載の方法。
【請求項１３】
第一のフォトニック結晶センサ（１０６）の第一の反射スペクトルは第二の検知パラメータの変化に応じて変化し、かつ方法は第三のセンサから情報を受信することをさらに含み、パラメータ値は第三のセンサからの情報に基づきかつ第一のフォトニック結晶センサ（１０６）により反射された光に基づき決定される、請求項８から１２のいずれか一項に記載の方法。
【手続補正２】
【補正対象書類名】明細書
【補正対象項目名】００４２
【補正方法】変更
【補正の内容】
【００４２】
本出願の要約書は、請求項の範囲又はその意味を解釈し若しくは限定するために使用されるものではないことを考慮して提出される。加えて、上述の「発明を実施するための形態」において、開示内容を簡素化するために、種々の特性をまとめて、又は単一の実施形態において説明した。この開示は、請求項に係る実施形態が、各請求項に明示的に記載されたよりも多くの特性を必要とするという意図を反映するものと解されるべきではない。そうではなく、続く請求項に反映されているように、請求項に係る主題は、いかなる開示された実施形態の特性すべてを満たさないものに対しても向けられることがある。
また、本願は以下に記載する態様を含む。
（態様１）
光センサアセンブリであって、
基板（１０２、２０２、３０２、４０２）、
基板（１０２、２０２、３０２、４０２）に接続され、第一の反射スペクトルに対応する入射光の第一の部分を反射するように構成された第一のフォトニック結晶センサ（１０６）であって、第一の反射スペクトルの第一の波長範囲は第一の検知パラメータの変化に応じて変化する、第一のフォトニック結晶センサ（１０６）、及び
基板（１０２、２０２、３０２、４０２）に接続され、第二の反射スペクトルに対応する入射光の第二の部分を反射するように構成された第二のフォトニック結晶センサ（１０７）であって、第二の反射スペクトルの第二の波長範囲は第二の検知パラメータの変化に応じて変化する、第二のフォトニック結晶センサ（１０７）を備え、 
第一の反射スペクトル及び第二の反射スペクトルは異なる、光センサアセンブリ。
（態様２）
第一のフォトニック結晶センサ（１０６）は、第一の屈折率を有する第一の材料及び第二の屈折率を有する第二の材料から形成された第一の構造を有し、かつ
第二のフォトニック結晶センサ（１０７）は、第一の材料及び第二の材料から形成された第二の構造を有し、第一の構造は第二の構造と異なる、態様１に記載の光センサアセンブリ。
（態様３）
第一のフォトニック結晶センサ（１０６）は、二以上の異なる屈折率を有する二以上の材料で形成された第一の構造を有し、かつ
第二のフォトニック結晶センサ（１０７）は、第一の構造の二以上の材料とは異なる少なくとも一つの材料で形成された第二の構造を有する、態様１に記載の光センサアセンブリ。
（態様４）
第一の検知パラメータは、温度、圧力、加速度、及び振動のうちの一つを含む、態様１〜３のいずれか一項に記載の光センサアセンブリ。
（態様５）
第一の検知パラメータは、第二の検知パラメータとは異なる、態様１〜３のいずれか一項に記載の光センサアセンブリ。
（態様６）
第一のフォトニック結晶センサ（１０６）は基板（１０２、２０２、３０２、４０２）の第一の領域（１０４）に接続され、かつ第二のフォトニック結晶センサ（１０７）は基板（１０２、２０２、３０２、４０２）の第二の領域（１０５）に接続され、第一の領域（１０４）は第二の領域（１０５）とは異なる、態様１〜５のいずれか一項に記載の光センサアセンブリ。
（態様７）
基板（１０２、２０２、３０２、４０２）が光ファイバ（１１０、２１０、３１０、４１０、５０６）の端部に接続されるときに、入射光は、光ファイバ（１１０、２１０、３１０、４１０、５０６）を介して第一のフォトニック結晶センサ（１０６）及び第二のフォトニック結晶センサ（１０７）に略同時に適合される、態様１〜６のいずれか一項に記載の光センサアセンブリ。
（態様８）
光を光ファイバの第一端部に適合すること、
光ファイバの第二の端部に接続された第一のフォトニック結晶センサ（１０６）及び光ファイバの第二の端部に接続された第二のフォトニック結晶センサ（１０７）のうちの少なくとも一つにより反射された光を検出することであって、第一のフォトニック結晶センサ（１０６）は第一の検知パラメータに応じて変化する第一の反射スペクトルを表示し、第二のフォトニック結晶センサ（１０７）は第二の検知パラメータに応じて変化する第二の反射スペクトルを表示する、検出すること、及び
検出された光に基づき第一の検知パラメータ及び第二の検知パラメータのうちの少なくとも一つのパラメータ値を決定することを含む方法。
（態様９）
光ファイバ（１１０、２１０、３１０、４１０、５０６）に適合された光は、第一の反射スペクトルに対応する第一の波長範囲及び第二の反射スペクトルに対応する第二の波長範囲を含む波長範囲を有する、態様８に記載の方法。
（態様１０）
第一の検知パラメータ及び第二の検知パラメータは同一のパラメータであり、パラメータ値は第一のフォトニック結晶センサ（１０６）により反射された光に基づきかつ第二のフォトニック結晶センサ（１０７）により反射された光に基づき決定される、態様８又は９に記載の方法。
（態様１１）
第一のフォトニック結晶センサ（１０６）の第一の反射スペクトルは、第二の検知パラメータの変化に応じて著しくは変化しない、態様８又は９に記載の方法。
（態様１２）
第一のフォトニック結晶センサ（１０６）の第一の反射スペクトルは、第二の検知パラメータの変化に応じて変化し、かつパラメータ値を決定することは、第一の検知パラメータに対応する値を決定するために、第一のフォトニック結晶センサ（１０６）により反射された光及び第二のフォトニック結晶センサ（１０７）により反射された光を使用することを含む、態様８に記載の方法。
（態様１３）    
第一のフォトニック結晶センサ（１０６）の第一の反射スペクトルは第二の検知パラメータの変化に応じて変化し、かつ方法は第三のセンサから情報を受信することをさらに含み、パラメータ値は第三のセンサからの情報に基づきかつ第一のフォトニック結晶センサ（１０６）により反射された光に基づき決定される、態様８又は９に記載の方法。
（態様１４）
態様１〜７のいずれか一項及び方法の態様８〜１３のいずれか一項に記載の装置。
（態様１５）
態様８〜１３のいずれか一項及び装置の態様１〜７のいずれか一項に記載の方法。